(57)【特許請求の範囲】
【請求項１】
映像信号に応じた映像を表示する表示部と、前記表示部の表示状態の調節操作を受け付ける操作部と、前記操作部で受け付けた操作内容に応じて前記表示部の表示状態を調節する調節部と、前記操作部で受け付けた操作内容に応じた制御信号を出力する制御信号出力部と、前記映像信号を入力する映像信号入力部とを有する、少なくとも２つの表示装置と、
前記制御信号を入力する制御信号入力部と、表示すべき映像に応じた映像信号を生成するとともに、前記制御信号入力部に前記制御信号が入力されている場合には、前記表示すべき映像に、当該入力されている前記制御信号により特定される操作内容を示す映像を重ねた映像に応じた映像信号を生成する映像信号生成部と、前記映像信号生成部で生成した映像信号を出力する映像信号出力部とを有する映像信号生成装置と、
前記映像信号生成装置より出力される映像信号を、前記少なくとも２つの表示装置の数に応じて分配し、前記少なくとも２つの表示装置各々へ出力するとともに、前記少なくとも２つの表示装置各々より出力される制御信号を、前記映像信号生成装置へ出力する映像分配装置と、からなる映像分配システムであって、
前記映像分配装置は、
前記少なくとも２つの表示装置各々より出力された制御信号を検知する制御信号検知手段を有し、
前記制御信号検知手段により、前記少なくとも２つの表示装置のうちのいずれか１つの表示装置よりの制御信号が検知されている間、当該１つの表示装置を除く他の表示装置に対し、前記映像信号生成装置より出力される映像信号に代えて、所定の映像に応じた映像情報を出力する
ことを特徴とする映像分配システム。
【請求項２】
請求項１記載の映像分配システムであって、
前記所定の映像とは、他の表示装置にて前記表示部の表示状態の調節操作が行われていることを示す映像である
ことを特徴とする映像分配システム。
【請求項３】
映像信号出力部および制御信号入力部を各々１系統有する映像信号生成装置より出力される映像信号を分配して、少なくとも２つの表示装置に出力するとともに、前記少なくとも２つの表示装置より出力される制御信号を前記映像信号生成装置に入力する映像分配装置であって、
前記少なくとも２つの表示装置各々より出力された制御信号を検知する制御信号検知手段を有し、
前記制御信号検知手段により、前記少なくとも２つの表示装置のうちのいずれか１つの表示装置よりの制御信号が検知されている間、当該１つの表示装置を除く他の表示装置に対し、前記映像信号生成装置より出力される映像信号に代えて、所定の映像に応じた映像情報を出力する
ことを特徴とする映像分配装置。
【発明の詳細な説明】
【０００１】
【発明の属する技術分野】
本発明は、映像信号を分配して複数の表示装置に表示する映像分配システムに関し、特に、１系統の映像出力部および制御信号入力部を備えたナビゲーション装置からの映像信号を分配して、制御信号出力機能を備えた複数の表示装置に表示する場合に好適な映像分配システムに関する。
【０００２】
【従来の技術】
一般的な車載用ナビゲーションシステムの概略構成を図３に示す。
【０００３】
図３において、表示装置１は、映像信号に応じた映像を表示する表示部１１と、表示部１１の表示状態（たとえば、明るさやコントラストなど）の調節操作を受け付ける操作部１２と、操作部１２で受け付けた操作内容に応じて表示部１１の表示状態を調節する調節部１３と、操作部１２で受け付けた操作内容に応じた制御信号を出力する制御信号出力部１４と、映像信号を入力する映像信号入力部１５とを有する。
【０００４】
ナビゲーション装置２は、ナビゲーション処理部２１と、映像信号生成部２２と、映像信号出力部２３と、制御信号入力部２４とを有する。
【０００５】
ここで、ナビゲーション処理部２１は、ＧＰＳや、車速センサ、方位センサなどの各種センサより得た情報に基づいて現在位置や車両方位を算出し、当該現在位置付近の地図を地図データベースから読み出し、該地図に現在位置および車両方位を示す車両マークや操作者が設定した目的地までの経路など重ねた映像を生成する。そして、生成した映像を映像信号生成部２２に渡す。
【０００６】
映像信号生成部２２は、ナビゲーション処理部２１より渡された映像に応じた映像信号を生成し、映像信号出力部２３より出力する。また、制御信号入力部１４に制御信号が入力されている場合は、ナビゲーション処理部２１より渡された映像の上に、当該入力されている制御信号により特定される操作内容を示す映像（たとえば、明るさやコントラストのレベルを示すバー）を重ね合わせる。そして、その結果得られる映像に応じた映像信号を生成し、映像信号出力部２３より出力する。
【０００７】
上記のような一般的な構成を有するナビゲーションシステムにおいて、表示装置１を見ている操作者が表示装置１の操作部１２を操作すると、調節部１３により、その操作内容に応じて、表示部１１の明るさやコントラストなどが調節される。また、その操作内容は、制御信号として制御信号出力部１４より出力され、ナビゲーション装置２の制御信号入力部２４に入力される。これを受けて、ナビゲーション装置２の映像信号生成部２２は、ナビゲーション処理部２１より渡された映像の上に、その操作内容示す映像を重ね合わせ、その結果得られる映像に応じた映像信号を生成して、映像信号出力部２３より出力する。
【０００８】
したがって、表示装置１の表示部１１には、操作者が操作部１２を用いて行っている操作内容が表示されることとなり、操作者は、その内容を確認しながら表示部１１の表示状態を調節することができる。
【０００９】
さて、このようナビゲーションシステムにおいて、映像分配装置を用いて、表示装置１を複数（たとえば前部座席用と後部座席用）備えることができるようにしたものが提案されている。
【００１０】
図４に、従来の映像分配装置を適用したナビゲーションシステムの概略構成を示す。ここで、図３に示すものと同じ機能を有するものには、同じ符号を付している。
【００１１】
図示するように、映像分配装置３は、映像信号分配部３１と、制御信号選択部３２と、１つの映像信号入力部３３と、使用する表示装置１の数分（ｎ）の映像信号出力部３４1〜３４nと、使用する表示装置１の数分（ｎ）の制御信号入力部３５1〜３５nと、１つの制御信号出力部３６とを有する。
【００１２】
映像信号分配部３１は、映像信号入力部３３に入力した映像信号を分配して映像信号出力部３４1〜３４nの各々より出力する。また、制御信号選択部３２は、制御信号入力部３５1〜３５nのいずれかに制御信号が入力すると、当該制御信号を制御信号出力部３６より出力する。
【００１３】
【発明が解決しようとする課題】
ところで、図４に示すような、従来の映像分配装置３を適用したナビゲーションシステムでは、以下のような問題が生ずる。
【００１４】
すなわち、図４に示すようなナビゲーションシステムにおいて、ある表示装置１を見ている操作者が当該表示装置１の操作部１２を操作すると、その操作内容が制御信号として制御信号出力部１４より出力され、映像分配装置３の制御信号選択部３２を介して、ナビゲーション装置２に入力される。これを受けて、ナビゲーション装置２の映像信号生成部２２は、ナビゲーション処理部２１より渡された映像の上に、その操作内容を示す映像を重ね合わせ、その結果得られる映像に応じた映像信号を生成して、映像信号出力部２３より出力する。そして、この映像信号は、映像分配装置３の映像信号分配部３１を介して、映像分配装置３に接続されている表示装置１各々に入力される。
【００１５】
したがって、操作部１２が操作された表示装置１以外の表示装置１にも、その操作内容が表示されてしまい、操作部１２が操作された表示装置１以外の表示装置１を見ている者にとって大変紛らわしい。
【００１６】
本発明は、上記事情に鑑みてなされたものであり、本発明の目的は、１系統の映像出力部および制御信号入力部を備えた映像信号生成装置からの映像信号を分配して、制御信号出力機能を備えた複数の表示装置に表示する映像分配システムにおいて、表示装置の操作者が行った操作内容が、他の表示装置に表示されないようにすることにある。
【００１７】
【課題を解決するための手段】
上記課題を解決するために、本発明は、映像信号に応じた映像を表示する表示部と、前記表示部の表示状態の調節操作を受け付ける操作部と、前記操作部で受け付けた操作内容に応じて前記表示部の表示状態を調節する調節部と、前記操作部で受け付けた操作内容に応じた制御信号を出力する制御信号出力部と、前記映像信号を入力する映像信号入力部とを有する、少なくとも２つの表示装置と、
前記制御信号を入力する制御信号入力部と、表示すべき映像に応じた映像信号を生成するとともに、前記制御信号入力部に前記制御信号が入力されている場合には、前記表示すべき映像に、当該入力されている前記制御信号により特定される操作内容を示す映像を重ねた映像に応じた映像信号を生成する映像信号生成部と、前記映像信号生成部で生成した映像信号を出力する映像信号出力部とを有する映像信号生成装置と、
前記映像信号生成装置より出力される映像信号を、前記少なくとも２つの表示装置の数に応じて分配し、前記少なくとも２つの表示装置各々へ出力するとともに、前記少なくとも２つの表示装置各々より出力される制御信号を、前記映像信号生成装置へ出力する映像分配装置と、からなる映像分配システムであって、
前記映像分配装置は、
前記少なくとも２つの表示装置各々より出力された制御信号を検知する制御信号検知手段を有し、
前記制御信号検知手段により、前記少なくとも２つの表示装置のうちのいずれか１つの表示装置よりの制御信号が検知されている間、当該１つの表示装置を除く他の表示装置に対し、前記映像信号生成装置より出力される映像信号に代えて、所定の映像に応じた映像情報を出力することを特徴とする。
【００１８】
ここで、所定の映像とは、他の表示装置にて前記表示部の表示状態の調節操作が行われていることを示す映像であってもよい。
【００１９】
本発明によれば、ある表示装置において表示状態の調節操作が行われた場合、当該調節操作の内容を示す映像が重畳された映像は、当該調節操作が行われた表示装置にのみ表示され、他の表示装置には表示されない。したがって、当該調節操作が行われた表示装置以外の表示装置を見ている者が紛らわしい思いをすることはない。
【００２０】
【発明の実施の形態】
以下、本発明の一実施形態を車載用ナビゲーションシステムへ適用した場合を例にとり説明する。
【００２１】
図１は、本発明の一実施形態が適用されたナビゲーションシステムの概略構成図である。ここで、従来の技術で説明した図３、４に示すものと同じ機能を有するものには、同じ符号を付している。
【００２２】
図１において、映像信号分配装置３ａは、図４に示す映像信号分配装置３に加えて、制御信号検出部３７と、待機映像信号生成部３８と、選択部３９とを備えている。
【００２３】
待機映像信号生成部３８は、他の表示装置１が画面調整中であることを示す映像の映像信号を生成し出力する。
【００２４】
制御信号検出部３７は、制御信号入力部３５1〜３５nの各々に入力する制御信号を検知する。そして、いずれか１つの制御信号入力部３５i（１≦ｉ≦ｎ）に制御信号が入力したことを検知した場合には、当該制御信号が当該制御信号入力部３５iに入力している間、当該制御信号入力部３５iに制御信号が入力している旨を選択部３９に知らせる。
【００２５】
選択部３９は、制御信号検出部３７より、いずれか１つの制御信号入力部３５iに制御信号が入力している旨の通知がない場合には、映像信号分配部３１で分配された映像信号を映像信号出力部３４1〜３４nの各々より出力する。一方、制御信号検出部３７より、いずれか１つの制御信号入力部３５iに制御信号が入力している旨の通知がされている場合には、当該制御信号入力部３５iに対応する映像信号出力部３４i（つまり、制御信号入力部３５iが接続する表示装置１に接続されている映像信号出力部３４i）よりのみ、映像信号分配部３１で分配された映像信号を出力する。その他の映像信号出力部３４1〜３４nからは、待機映像信号生成部３８にて生成された映像信号を出力する。
【００２６】
さて、上記構成の車載用ナビゲーションシステムにおいて、映像分配装置３ａの制御信号検出部３７は、制御信号入力部３５1〜３５nのいずれか１つに制御信号が入力されると、その間、その旨を選択部３９に知らせる。これを受けて、選択部３９は、制御信号が入力されている制御信号入力部３５iに対応する映像信号出力部３４iにのみ、映像信号分配部３１よりの映像信号を出力させ、その他の映像信号出力部３４1〜３４nには待機映像信号生成３８よりの映像信号を出力させる。
【００２７】
したがって、本実施形態によれば、ある表示装置１において表示状態の調節操作が行われた場合、図２（ａ）に示すように、当該調節操作が行われた表示装置１にのみ当該調節操作の内容を示す映像が重畳された映像が表示される。そして、他の表示装置１には、図２（ｂ）に示すように、他の表示装置１にて画面調節中である旨のメッセージが表示される。したがって、当該調節操が行われた表示装置以外の表示装置を見ている者が紛らわしい思いをすることはない。
【００２８】
なお、本実施形態では、ある表示装置１で調節操作が行われた場合に、当該調節操作が行われた表示装置１以外の表示装置１に表示する映像として、他の表示装置１にて画面調節中である旨のメッセージを表示するようにしているが、本発明はこれに限定されない。たとえば、この種のメッセージに代えて黒画面やある景色の映像などを表示するようにしてもよい。
【００２９】
また、本実施形態では、本発明を１系統の映像信号出力部２３および制御信号入力部２４を備えた車載用ナビゲーション装置２を有する映像分配システムに適用した場合について説明しているが、当然のことながら、本発明はこれに限定されるものではない。１系統の映像信号出力部および制御信号入力部を備え、表示すべき映像に応じた映像信号を生成するとともに、前記制御信号入力部に前記制御信号が入力されている場合には、前記表示すべき映像に、当該入力されている前記制御信号により特定される操作内容を示す映像を重ねた映像に応じた映像信号を生成し、生成した映像信号を前記映像信号出力部より出力する映像信号生成装置を用いたものではれば、様々な映像分配システムに適用できる。
【００３０】
【発明の効果】
以上説明したように、本発明によれば、１系統の映像出力部および制御信号入力部を備えた映像信号生成装置からの映像信号を分配して、制御信号出力機能を備えた複数の表示装置に表示する映像分配システムにおいて、表示装置の操作者が行った操作内容が、他の表示装置に表示されないようにすることができる。
【図面の簡単な説明】
【図１】本発明の１実施形態の映像分配装置が適用されたナビゲーションシステムの概略構成図である。
【図２】図１に示すナビゲーションシステムの効果を説明するための図である。
【図３】従来のナビゲーションシステムの概略構成図である。
【図４】従来の映像分配装置を適用したナビゲーションシステムの概略構成図である。
【符号の説明】
１…表示装置、  ２…ナビゲーション装置、  ３，３ａ…映像分配装置
１１…表示部、  １２…操作部、  １３…調節部
１４，３６…制御信号出力部、  １５，３３…映像信号入力部
２１…ナビゲーション処理部、  ２２…映像信号生成部
２３，３４，３４1〜３４n…映像信号出力部
２４，３５，３５1〜３５n…制御信号入力部
３１…映像信号分配部、  ３２…制御信号選択部
３７…制御信号検出部、  ３８…待機映像信号生成部、  ３９…選択部
【図１】
0004342636.tif 000002
【図２】
0004342636.tif 000003
【図３】
0004342636.tif 000004
【図４】
0004342636.tif 000005